(57)【要約】【課題】断面視パイプ状をなす素材を利用しつつ、効率が高い生産性を維持しながら好適に所要の形状をなした家具用部材並びに当該家具用部材を具備する家具を提供する。【解決手段】本発明に係る本実施形態に係る家具用部材たる脚体１は、断面視パイプ状をなす素材に対し任意の一方向から凹ませた形状をなす凹面１１と、この凹面１１から対向する側に設けられた対向面１２と、長手方向一端側をなす基端部１５と、基端部１５とは長手方向において反対側をなし、基端部１５とは断面形状が異なる先端部１６とを具備する家具用部材である。【選択図】図５
2019000332.tif 000002
【特許請求の範囲】
【請求項１】
断面視パイプ状をなす素材に対し任意の一方向から凹ませた形状をなす凹面と、
この凹面から対向する側に設けられた対向面と、
長手方向一端側をなす基端部と、
前記基端部とは長手方向において反対側をなし、前記基端部とは断面形状が異なる先端部とを具備することを特徴とする家具用部材。
【請求項２】
前記凹面が、前記対向面に対し最も近接し且つ前記対向面から傾斜した所定の内傾斜角度で傾斜する内傾斜面と、この内傾斜面の両側に設けられ前記素材の厚み寸法以上の寸法をなすクリアランス領域と、このクリアランス領域において前記対向面から最も離間し且つ前記対向面から傾斜した所定の外傾斜角度で傾斜する外傾斜面とを有するものであり、
前記内傾斜角度が前記外傾斜角度よりも大きく設定されていることを特徴とする請求項１記載の家具用部材。
【請求項３】
前記先端部が、横断面形状を概略円形状又は楕円形状に成形されているとともに床面に接地させるための接地部材が取り付け可能であることを特徴とする請求項１又は２記載の家具用部材。
【請求項４】
前記クリアランス領域が、前記素材の厚み寸法の三倍以上の寸法をなすことを特徴とする請求項１〜３の何れかに記載の家具用部材。
【請求項５】
前記凹面が、前記パイプ状をなす素材における横断面視短寸側の表面を押圧することにより構成するものであることを特徴とする請求項１〜４の何れかに記載の家具用部材。
【請求項６】
前記基端部が、家具を構成するための構成要素を下方から支持するための支持用取付部を有していることを特徴とする請求項１〜５の何れかに記載の家具用部材。
【請求項７】
前記先端部が、ナット部材を填め込まれていることを特徴とする請求項１〜６の何れかに記載の家具用部材。
【請求項８】
側面視テーパ形状に成形されてなることを特徴とする請求項１〜７の何れかに記載の家具用部材。
【請求項９】
側面視屈曲又は湾曲した形状に成形されてなることを特徴とする請求項１〜８の何れかに記載の家具用部材。
【請求項１０】
請求項１〜９の何れかの家具用部材を具備してなることを特徴とする家具。
【発明の詳細な説明】
【技術分野】
【０００１】
本発明は、オフィス等において好適に用いられている家具の脚等に好適に用いるための家具用部材に関するものである。
【背景技術】
【０００２】
従来、オフィスや家庭においてテーブル或いはデスクといった天板付家具や椅子といった家具が広範に利用されている。これら家具においては、天板付家具の脚体や椅子の脚支柱や脚羽根など、金属製の柱材を所望の形状へ成形しつつ、家具としての所要の役割を担い得る家具用部材が種々提案されている。そして、このような家具用部材では、多くの場合金属製の素材が適用されている。そしてこれら金属製の素材では、強度を有効に保持すべく中実な金属素材を削り出しにより成形したものや、所要の形状に鋳造したものも多く提案されている。
【０００３】
また、家具用部材の軽量化或いは構成の簡素化を目的として、例えば押し出し成形により製造された断面視略同形状をなすパイプ材を適宜曲げ加工を行うことにより、家具用部材として好適に適用し得た技術も提案されている（例えば、特許文献１参照）。
【先行技術文献】
【特許文献】
【０００４】
【特許文献１】特許第３１７９３８４号公報
【発明の概要】
【発明が解決しようとする課題】
【０００５】
上記特許文献１記載の技術をパイプ状の部材を直角に曲げるにあたり、素材の不要な凹みや割れといった不具合は有効に解消されている。
【０００６】
しかしながら、家具を構成するための部材としては、単に素材を所要の角度で曲げるのみならず、外形全体を例えばテーパ形状とするなど所要の形状に成形したり、端部に別異の部材を取り付け易い形状に予め加工したりしておくといった、種々の加工が要求されている。
【０００７】
ここで、パイプ状の素材を所要の形状に成形するには、表面を掘削する、他の素材を溶接するということが考えられ、これらの方策を用いれば勿論、パイプ状の素材を基にしても所要の形状へと成形することが可能である。しかしながら斯かる手法を適用すれば、一つ一つの家具用部材を成形するための手順が増えてしまったり、付加的な素材を要してしまったりし、結果として製造コストを増大させてしまうという不具合を招来してしまう。
【０００８】
そして現状では、家具用部材としてパイプ状の部材を適用しつつも、生産性と所要の形状への成形のし易さを高い効率にて両立させた家具用部材が求められている。
【０００９】
すなわち本発明は、上記のような課題を解消することを目的としており、断面視パイプ状をなす素材を利用しつつ、効率が高い生産性を維持しながら好適に所要の形状をなした家具用部材並びに当該家具用部材を具備する家具を提供することを目的とするものである。
【課題を解決するための手段】
【００１０】
本発明は、かかる目的を達成するために、次のような手段を講じたものである。
【００１１】
すなわち、本発明に係る家具用部材は、断面視パイプ状をなす素材に対し任意の一方向から凹ませた形状をなす凹面と、この凹面から対向する側に設けられた対向面と、長手方向一端側をなす基端部と、前記基端部とは長手方向において反対側をなし、前記基端部とは断面形状が異なる先端部とを具備することを特徴とする。また本発明に係る家具は、前記家具用部材を具備してなることを特徴とする。
【００１２】
このようなものであれば、断面視パイプ状をなす素材を適用し適宜の形状に成形することにより、中実な削り出し部材のように成形された部材同様に、断面視パイプ状をなす素材を利用しつつ、効率が高い生産性を維持しながら好適に所要の形状をなした家具用部材並びに当該家具用部材を具備する家具を提供することができる。
【００１３】
前記凹面が、前記対向面に対し最も近接し且つ前記対向面から傾斜した所定の内傾斜角度で傾斜する内傾斜面と、この内傾斜面の両側に設けられ前記素材の厚み寸法以上の寸法をなすクリアランス領域と、このクリアランス領域において前記対向面から最も離間し且つ前記対向面から傾斜した所定の外傾斜角度で傾斜する外傾斜面とを有するものであり、前記内傾斜角度が前記外傾斜角度よりも大きく設定されていることによっても、本発明に係る家具用部材を種々の用途に利用し得るものとなる。
【００１４】
また、家具用部材の外見をより好適なものとしつつ使用者の足元に干渉し難い形状とするためには、先端部を、横断面形状を概略円形状又は楕円形状に成形するとともに床面に接地させるための接地部材が取り付け可能であるようにすることが望ましい。
【００１５】
そして、断面視パイプ状をなす部材をなんら損傷させることなく凹面を好適に成形するためには、クリアランス領域を、素材の厚み寸法の三倍以上の寸法をなすように構成することが望ましい。
【００１６】
そして、家具用部材自体の外見上の厚み寸法を有効に維持しつつ所要の形状へと成形するためには、凹面を、パイプ状をなす素材における横断面視短寸側の表面を押圧することにより構成するようにすることが望ましい。
【００１７】
上述した基端部が、家具を構成するための構成要素を下方から支持するための支持用取付部を有しているようにすれば、本発明に係る家具用部材を種々の用途に広範に利用することができる。
【００１８】
そして先端部の加工により汎用性をより向上させ得るようにするためには、当該先端部にナット部材を填め込む構成とすることが望ましい。
【００１９】
家具としての外見をより好適なものとするための構成として側面視テーパ形状に成形されてなる構成を挙げることができる。
【００２０】
また家具としての外見をより好適なものとするための他の構成として、側面視屈曲又は湾曲した形状に成形されてなる構成を挙げることができる。
【発明の効果】
【００２１】
本発明は、以上説明した構成であるから、断面視パイプ状をなす素材を利用しつつ、効率が高い生産性を維持しながら好適に所要の形状をなした家具用部材並びに当該家具用部材を具備する家具を提供することができる。
【図面の簡単な説明】
【００２２】
【図１】本発明の一実施形態に係る外観図。
【図２】同実施形態に係る正面図。
【図３】同実施形態に係る要部の外観図。
【図４】図３に係る縦断面図。
【図５】図４に係るＶ部拡大図。
【図６】図３に係るＩ−Ｉ線端面図。
【図７】同ＩＩ−ＩＩ線端面図。
【図８】同ＩＩＩ−ＩＩＩ線端面図。
【図９】同ＩＶ−ＩＶ線端面図。
【図１０】同変形例に係る作用説明図。
【図１１】同実施形態の変形例に係る外観図。
【発明を実施するための形態】
【００２３】
以下、本発明の一実施形態を、図１〜図１０を参照して説明する。
【００２４】
本実施形態の家具たる天板付家具Ｔは、図１に示すように、家具用部材である脚体１と、この脚体１に支持フレームＴ１を介して支持された例えば平面視Ｌ字状をなす天板Ｔ２とを主体としたものである。
【００２５】
この脚体１は、本実施形態では下端側に床面に接地するための接地部材たるアジャスタＡを取り付け可能である先端部１６と、家具を構成するための構成要素である天板Ｔ２を下方から支持するための支持用取付部１５ａを有した基端部１５とを有している。
【００２６】
そして本実施形態に係る家具用部材たる脚体１は、断面視パイプ状をなす素材に対し任意の一方向から凹ませた形状をなす凹面１１と、この凹面１１から対向する側に設けられた対向面１２と、長手方向一端側をなす基端部１５と、基端部１５とは長手方向において反対側をなし、基端部１５とは断面形状が異なる先端部１６とを具備する家具用部材であって、凹面１１が、対向面１２に対し最も近接し且つ対向面１２から傾斜した所定の内傾斜角度で傾斜する内傾斜面１１ａと、この内傾斜面１１ａの両側に設けられ素材の厚み寸法以上の寸法をなすクリアランス領域１１ｃと、このクリアランス領域１１ｃにおいて対向面１２から最も離間し且つ対向面１２から傾斜した所定の外傾斜角度で傾斜する外傾斜面１１ｂとを有するものであり、内傾斜角度が外傾斜角度よりも大きく設定されていることを特徴とする。
【００２７】
以下、脚体１の具体的な構成について説明する。
【００２８】
脚体１は、例えばパイプ状をなす鋼管からなるものである。具体的にはスチールシートを丸め端部同士を溶接することにより管状に成形したものである。勿論、脚体１を構成し得る素材としては上記鋼管の他、アルミの押し出し材を適用しても良い。
【００２９】
更に脚体１はこれら基端部１５並びに先端部１６に加え、長手方向の一面の略全域に亘って素材を凹ませて形成した凹面１１と、この凹面１１に対向する対向面１２と、これら凹面１１及び対向面１２に介在する側面１３と、長手方向において屈曲させてなる曲がり部１４とを有している。また本実施形態では曲がり部１４は、側面視一部分を屈曲させてなる形状としているが勿論、一部分を屈曲ではなく湾曲させた形状としても良く、さらには全体的に湾曲させてなる形状としてもよい。
【００３０】
凹面１１は、図４、図７〜図９に示すように、パイプ状をなす素材における横断面視短寸側の表面を押圧することにより構成するものである。この凹面１１は、横断面視最も凹んでいる内傾斜面１１ａと、この内傾斜面１１ａの凹みに応じて素材が引き込まれた引き込み部１１ｄと、この引き込み部１１ｄに応じて外形が凹んでなる外傾斜面１１ｂとを有している。
【００３１】
この脚体１は、凹面１１の両側において素材の厚み寸法の三倍以上の寸法をなすクリアランス領域１１ｃを有している。このクリアランス領域１１ｃを素材厚み寸法の三倍以上の寸法に設定することにより、金型Ｋの押圧面Ｋａにより素材における横断面視短寸側の表面が押圧されても、素材の破断等が起こり難いようになっている。
【００３２】
そして本実施形態では脚体１を側面視テーパ形状に成形すべく、凹面１１を構成している内傾斜面１１ａと対向面１２とがなす内傾斜角度が、外傾斜面１１ｂと対向面１２とがなす外傾斜角度の略２倍となるように設定されている。換言すれば図５に示すように、内傾斜面１１ａを構成するために金型Ｋの押圧面Ｋａにより押し込まれる押し込み量が、外傾斜面１１ｂがテーパ形状をなすテーパ寸法の二倍程度となるように構成されている。
【００３３】
また本実施形態では図９及び図１０に示すように。先端部１６が、横断面形状を概略円形状又は楕円形状に成形されている。具体的に説明すると、先端部１６は、雌ねじ部１７ａを有するナット部材１７を埋め込むためのナット取付部１６ａと、このナット取付部１６ａを形成するための離間領域１６ｂと、横断面形状を概略円形状にすべく成形された湾曲加工面１６ｃと、ナット部材１７に密着する第一の密着面１６ｄ並びに第二の密着面１６ｅとを有している。
【００３４】
そして本実施形態では図１０（ａ）、図１０（ｂ）に示すように、先端部１６は予め離間領域１６ｂを確保した状態で凹面１１を形成しておき（図１０（ａ））、離間領域１６ｂにナット部材１７を挿入した状態で素材を塑性変形させるための適宜の押圧手段Ｘにより素材を塑性変形させる（図１０（ｂ））。これにより、ナット部材１７が強固に固定されてなる先端部１６が好適に成形される。なお同図では図示しないが、ナット部材１７に密着する第一の密着面１６ｄ及び第二の密着面１６ｅを形成した箇所に、別途アーク溶接を施しても良い。斯かる場合、同図における先端部１６には別途溶接継手が現れることとなる。
【００３５】
＜変形例＞
【００３６】
以下、上記実施形態の変形例について説明する。当該変形例について、上記実施形態と同様の構成要素については、同じ符号を付すとともに、その詳細な説明を省略する。
【００３７】
上記実施形態では家具用部材である脚体１を、天板付家具Ｔの天板を支持するための脚体１に適用した態様を説明したが勿論、本発明に係る家具用部材は天板付家具Ｔに用いられる態様に限定されることはない。
【００３８】
すなわち本変形例では図１１に示すように、家具としての椅子ＣＨに対し本発明を適用した態様を示している。具体的に説明すると、本変形例に係る家具用部材は、例えば会議室等にて好適に適用され得るネスティング可能に構成された椅子ＣＨの脚体１に対し本発明を適用したものである。当該脚体１は椅子ＣＨの前脚並びに後脚に相当するものであり、後脚の基端部１５が椅子ＣＨの座ＣＨ１や背ＣＨ２を支持するとともに、前脚の基端部１５が後脚に溶接により剛結されてなる態様となっている。また本変形例においても脚体１は曲がり部１４を有しているが、当該曲がり部１４は上記実施形態の如く局所的に素材を屈曲させてなる態様とは異なり、脚体１を全体的に湾曲させてなる態様としている。また上記実施形態では先端部１６に取り付ける接地部材としてアジャスタＡを適用していたが本変形例ではアジャスタＡに代えてキャスタＣを適用している。
【００３９】
このようなものであっても、上記実施形態同様、金属製のパイプ材を用いて家具用部材としての機能を果たしつつ所望の形状が実現されたものとなっている。
【００４０】
以上のように、本実施形態に係る家具用部材は、クリアランス領域１１ｃにおいて対向面１２から最も離間し且つ対向面１２から傾斜した所定の外傾斜角度で傾斜する外傾斜面１１ｂと内傾斜面１１ａとを有するものであり、基端部１５及び先端部１６の断面視形状を異ならせていることを特徴とする。
【００４１】
このように構成することで、断面視パイプ状をなす素材を適用し適宜の形状に成形することにより、中実な削り出し部材のように成形された部材同様に、断面視パイプ状をなす素材を利用しつつ、効率が高い生産性を維持しながら好適に所要の形状をなした家具用部材並びに当該家具用部材を具備する家具を実現せしめている。
【００４２】
クリアランス領域１１ｃにおいて対向面１２から最も離間し且つ対向面１２から傾斜した所定の外傾斜角度で傾斜する外傾斜面１１ｂとを有するものであり、内傾斜角度が外傾斜角度よりも大きく設定ことで、様々な形状への成形を可能なものとしつつ、先端部１６の汎用性を広範なものとしている。
【００４３】
また、家具用部材の外見をより好適なものとしつつ使用者の足元に干渉し難い形状とするために本実施形態では、先端部１６を、横断面形状を概略円形状又は楕円形状に成形し且つ、上述した先端部１６が、床面に接地させるための接地部材アジャスタＡやキャスタＣを取り付け可能としている。
【００４４】
そして、断面視パイプ状をなす部材をなんら損傷させることなく凹面１１を好適に成形するために本実施形態では、クリアランス領域１１ｃを、素材の厚み寸法の三倍以上の寸法をなすように構成するようにしている。
【００４５】
家具用部材自体の外見上の厚み寸法を有効に維持しつつ所要の形状へと成形するために本実施形態では、凹面１１を、パイプ状をなす素材における横断面視短寸側の表面を押圧することにより構成するようにしている。
【００４６】
また本実施形態では基端部１５が、家具を構成するための構成要素を下方から支持するための支持用取付部を有しているようにして脚体１を好適に構成しているが勿論、本発明の横架材等の別の構成要素に適用することも可能である。
【００４７】
そして先端部１６の加工により汎用性をより向上させ得るようにするために本実施形態では、当該先端部１６にナット部材１７を填め込む構成としている。
【００４８】
家具としての外見をより好適なものとするための構成として本実施形態では、側面視テーパ形状に成形されてなる構成を適用している。
【００４９】
また家具としての外見をより好適なものとするための更なる構成として本実施形態では、側面視屈曲又は湾曲した形状に成形されてなる構成を適用している。
【００５０】
ここで、断面視パイプ状をなす素材を用いつつ好適に家具用部材を構成する構成として本実施形態に係る脚体１は、断面視パイプ状をなす素材に対し任意の一方向から凹ませた形状をなす凹面１１と、この凹面１１から対向する側に設けられた対向面１２と、これら凹面１１並びに対向面１２に介在する長手方向一端側をなす基端部１５と、基端部１５とは長手方向において反対側をなし、基端部１５とは断面形状が異なる先端部１６とを具備する家具用部材であって、凹面１１が、対向面１２に対し最も近接し且つ対向面１２から傾斜した所定の内傾斜角度で傾斜する内傾斜面１１ａと、この内傾斜面１１ａの両側に設けられ素材の厚み寸法の三倍以上の寸法をなすクリアランス領域１１ｃと、このクリアランス領域１１ｃにおいて対向面１２から最も離間し且つ対向面１２から傾斜した所定の外傾斜角度で傾斜する外傾斜面１１ｂとを有するものであり、凹面１１が、パイプ状をなす素材における横断面視短寸側の表面を押圧することにより構成するものであることを特徴とする。
【００５１】
同様に、断面視パイプ状をなす素材を用いつつ好適に家具用部材を構成する構成として本実施形態に係る脚体１は、断面視パイプ状をなす素材に対し任意の一方向から凹ませた形状をなす凹面１１と、この凹面１１から対向する側に設けられた対向面１２と、これら凹面１１並びに対向面１２に介在する長手方向一端側をなす基端部１５と、基端部１５とは長手方向において反対側をなし、基端部１５とは断面形状が異なる先端部１６とを具備する家具用部材であって、凹面１１が、対向面１２に対し最も近接し且つ対向面１２から傾斜した所定の内傾斜角度で傾斜する内傾斜面１１ａと、この内傾斜面１１ａの両側に設けられ素材の厚み寸法の三倍以上の寸法をなすクリアランス領域１１ｃと、このクリアランス領域１１ｃにおいて対向面１２から最も離間し且つ対向面１２から傾斜した所定の外傾斜角度で傾斜する外傾斜面１１ｂとを有するものであり、先端部１６が、横断面形状を概略円形状又は楕円形状に成形していることを特徴とする。
【００５２】
さらに、断面視パイプ状をなす素材を用いつつ好適に家具用部材を構成する構成として本実施形態に係る脚体１は、断面視パイプ状をなす素材に対し任意の一方向から凹ませた形状をなす凹面１１と、この凹面１１から対向する側に設けられた対向面１２と、これら凹面１１並びに対向面１２に介在する長手方向一端側をなす基端部１５と、基端部１５とは長手方向において反対側をなし、基端部１５とは断面形状が異なる先端部１６とを具備する家具用部材であって、基端部１５が、家具を構成するための構成要素を下方から支持するための支持用取付部を有するとともに先端部１６が、ナット部材１７を填め込まれており、側面視屈曲又は湾曲したテーパ形状に成形されてなることを特徴とする。
【００５３】
以上、本発明の一実施形態について説明したが、各部の具体的な構成は、上述した実施形態のみに限定されるものではなく、本発明の趣旨を逸脱しない範囲で種々変形が可能である。
【００５４】
例えば上記実施形態では家具用部材を構成する素材の一例として鋼管からなるものを記載したが勿論、塑性変形を好適に行い得る素材であれば他の素材であってもよい。
【００５５】
また、家具用部材の曲がり部の具体的な寸法やテーパ形状の具体的な形状といったその他の詳細な構成も、本発明の趣旨を逸脱しない範囲で種々変形が可能である。
【符号の説明】
【００５６】
１・・・家具用部材（脚体）
１１・・・凹面
１１ａ・・・内傾斜面
１１ｂ・・・外傾斜面１１ｂ
１１ｃ・・・クリアランス領域
１２・・・対向面
１４・・・曲がり部
１５・・・基端部
１６・・・先端部
１７・・・ナット部材
Ａ・・・接地部材（アジャスタ）
Ｃ・・・接地部材（キャスタ）
ｄ・・・厚み寸法
Ｈ・・・テーパ寸法
Ｌ・・・押し込み量
Ｋ・・・金型
Ｋａ・・・押圧面
【図１】
2019000332.tif 000003
【図２】
2019000332.tif 000004
【図３】
2019000332.tif 000005
【図４】
2019000332.tif 000006
【図５】
2019000332.tif 000007
【図６】
2019000332.tif 000008
【図７】
2019000332.tif 000009
【図８】
2019000332.tif 000010
【図９】
2019000332.tif 000011
【図１０】
2019000332.tif 000012
【図１１】
2019000332.tif 000013